(57)【要約】【課題】  挟持具の懐深さを可変にしていろいろなサイズの物品のクランプに対応可能とした。【解決手段】  支持体と支持体に保持された一対のスライドガイドと該スライドガイドに支持体と直角方向に嵌入された一対のクランプアームと該クランプアームの一方下端部には挟持部、他方相対する下端部には螺軸棒と挟持部とで成るクランプ機能を持たせると共に、前記クランプアームは前記スライドガイドに回動不能でかつ、摺動自在に保持した。【選択図】        図１
2009262246.tif 000002
【特許請求の範囲】
【請求項１】
支持体と支持体に保持された一対のスライドガイドと該スライドガイドに支持体と直角方向に嵌入された一対のクランプアームと該クランプアームの一方下端部には挟持部、他方相対する下端部には螺軸棒と挟持部とで成るクランプ機能を持たせると共に、前記クランプアームは前記スライドガイドに回動不能でかつ、摺動自在に保持されることによりクランプ部の懐深さを可変できる構成としたことを特徴とする挟持具。
【請求項２】
前記スライドガイドは前記支持体に対し、一方は固着され、他方は摺動自在に嵌入保持されることによりクランプ部のピッチを可変できる構成としたことを特徴とする請求項１に記載した挟持具。
【請求項３】
支持体に対し、摺動自在に嵌入保持された請求項２のスライドガイドにおいて、支持体へのロック機構を設け、クランプ時の挟持安定性を高めたことを特徴とする請求項１又は請求項２に記載した挟持具。
【発明の詳細な説明】
【技術分野】
【０００１】
本発明は任意の物品をクランプして固定する挟持具に関するものである。
【背景技術】
【０００２】
クランプアームが支持材に対し摺動自在に嵌入され、クランプ位置の自由度やクランプピッチの自由度を高めた挟持具が開示されている。
【０００３】
しかしながら、クランプ部の懐深さについては可変できるものがなく、物品の大きさに合わせて何種類ものサイズの挟持具を用意するか、不安定であるが中心をクランプしないで端部をクランプして代用するという問題があった。
【０００４】
また前述した開示例ではクランプアームに働くモーメント力で、支持体の上下面にクランプアームの嵌挿口が食い込み任意の位置でロックされるが、クランプアームの腕の長さが短い時は安定性に欠けたり、ロック位置が定まりにくく使い勝手が悪いという問題もあった。
【特許文献１】特開２００５−２６２３７６号広報
【特許文献２】実開平５−４１６７１号広報
【発明の開示】
【課題を解決するための手段】
【０００５】
支持体と支持体に保持された一対のスライドガイドと該スライドガイドに支持体と直角方向に嵌入された一対のクランプアームと該クランプアームの一方下端部には挟持部、他方相対する下端部には螺軸棒と挟持部とで成るクランプ機能を持たせると共に、前記クランプアームは前記スライドガイドに回動不能でかつ、摺動自在に保持されることによりクランプ部の懐深さを可変できる挟持具とした。
【０００６】
さらに、前記スライドガイドは前記支持体に対し、一方は固着され、他方は摺動自在に嵌入保持されることによりクランプ部のピッチも可変できる構成にした。
【０００７】
支持体に対し、摺動自在に嵌入保持された前記スライドガイドにおいて、スライドガイドに支持体へのロック機構を設けることによりロックの確実性を図る構成にした。
【発明の効果】
【０００８】
支持体と支持体に保持された一対のスライドガイドと該スライドガイドに支持体と直角方向に嵌入された一対のクランプアームと該クランプアームの一方下端部には挟持部、他方相対する下端部には螺軸棒と挟持部とで成るクランプ機能を持たせると共に、前記クランプアームは前記スライドガイドに回動不能でかつ、摺動自在に保持されることによりクランプ部の懐深さを可変できた。
【０００９】
また、前記スライドガイドは前記支持体に対し一方は固着され、他方は摺動自在に嵌入保持されることによりクランプ部のピッチを可変できる構成としたことで懐深さと併せ、広範囲なサイズの物品の固定をひとつの挟持具で対応することができた。
【００１０】
スライドガイドに支持体へのロック機構を設けることによりロックの確実性を高めると共に、クランプピッチを適度な位置に固定でき、使い勝ってを向上することができた。
【発明を実施するための最良の形態】
【００１１】
〔第１実施例〕
図１は本発明の第１の実施例を示す挟持具の図面であり、上面図、正面図、下面図及び右側面図からなる。図面において、１は中実の角柱材からなる支持体であり、一対のスライドガイド３，５を保持している。スライドガイド３は支持体１の前端面に篏入固着されている。スライドガイド５は支持体１が嵌入される角穴５ｂを有し、支持体１に対し回転不能でかつ長手方向に摺動可能にガイドされている。スライドガイド３、５共、支持体１の長手方向（A方向）と直行する上下方向（B方向）に角穴３ａ、５ａを有し、それぞれ角柱材からなる一対のクランプアーム２、４を回転不能でかつB方向に摺動可能にガイド、保持している。
【００１２】
クランプアーム２はクランプアーム４と相対する側、下端に挟持板６を保持している。クランプアーム４は下端に雌ネジが形成された螺孔を持ち、そこに螺入された螺軸棒７を保持している。螺軸棒７は挟持板６と相対する側に挟持板８を回転可能に軸支している。逆側には物品を締め付けるためグリップ９が固着されている。
【００１３】
スライドガイド３、５には止めねじ１１が螺入されており、これを締付けることでクランプアーム２，４のＢ方向の動きをロックすることができる。
【００１４】
また、スライドガイド５の角穴５ｂには雄ねじが形成されたロックアーム１０も螺入されており、これを締め付けることで、支持体１に対しスライドガイド５のA方向の動きをロックさせることができる。
【００１５】
物品をクランプする場合、クランプするピッチに合わせ、スライドガイド５をA方向に摺動させる。ロックアーム１０を締付け、ロックすれば安定し作業性が向上する。次に物品の懐深さに合わせ、クランプアーム２，４をB方向に摺動させ、止めねじ１１でロックする。図示していない物品を挟持板６，８の間に置き、グリップ９を握り、螺軸棒７を物品方向に押し込む方向に回転させることで物品を挟持することができる。
【００１６】
開示例で示されているように、この時スライドガイド５にはクランプの反力で支持体１に対しモーメント力が発生し、支持体１上下面へ食い込むことによりA方向への動きが固定され、物品をクランプすることができる。ロックアーム１０を締付けておけば支持体１への固定がより確実になる。以上のような構成により、物品のピッチ、懐深さが変わっても、ひとつの挟持具にて対応可能とできた。
【００１７】
図２は本発明の第２の実施例を示す挟持具の図面であり、上面図、正面図、下面図及び右側面図からなる。図面において、支持体１は中実の角柱材からなる支持体であり、一対のスライドガイド２３，２５を保持している。スライドガイド２３は支持体１の前端面に篏入固着されている。スライドガイド２５は支持体１が嵌入される角穴２５ｂを有し、支持体１に対し回転不能でかつ長手方向に摺動可能にガイドされている。スライドガイド２３、２５共、支持体１の長手方向（A方向）と直行する上下方向（B方向）に支持板１に対し、軸対称となる位置に２個の丸穴２３ａ、２５ａを有し、一対のクランプアーム２２、２４を嵌入しB方向に摺動可能にガイド、保持している。
【００１８】
クランプアーム２２、２４はスライドガイド丸穴２３ａ、２５ａに篏入している２２ａ、２４ａである２本の支柱とそれらを連結、保持している連結板２２ｂ、２４ｂで構成されている。連結板２２ｂは連結板２４ｂに相対する側に挟持板６を保持している。連結板２４ａは中心に雌ネジが形成された螺孔を持ち、そこに螺入された螺軸棒７を保持している。螺軸棒７は挟持板６と相対する側に挟持板８を回転可能に軸支している。逆側には物品を締め付けるためグリップ９が固着されている。
【００１９】
スライドガイド２３、２５には止めねじ１１が螺入されており、これを締付けることでクランプアーム２２，２４のＢ方向の動きをロックすることができる。
【００２０】
物品をクランプする場合、クランプするピッチに合わせ、スライドガイド２５をA方向に摺動させる。次に物品の懐深さに合わせ、クランプアーム２２，２４をB方向に摺動させ、止めねじ１１でロックする。図示していない物品を挟持板６，８の間に置き、グリップ９を握り、螺軸棒７を物品方向に押し込む方向に回転させることで物品を挟持することができる。
【００２１】
スライドガイド２５の支持体１へのロックは第１の実施例と同じ原理であるが、挟持板６，８が支持体１と同一平面上にあるため、クランプの反力によりスライドガイド２５が支持体１に与えるモーメントは支持体１の上下面に平行に生じ、捩れ応力が発生しないため安定したクランプが可能となる。また、クランプアームが２本の支柱で構成されているため、丸棒でも良く、加工しやすいと言ったメリットも生じる。
【００２２】
図３、４は第１の実施例におけるスライドガイドの支持体に対する固定の別構成例である。図３は挟持具の裏面図であり、支持体１２には凹部１２ａが適当なピッチで形成されている。図４はスライドガイド１３固定部の要部詳細図である。図面において、スライドガイド１３には固定ピン１４を嵌入させるための穴が形成されている。固定ピン１４はツマミ部１４ａと凹部１２ａと嵌合する軸部１４ｂからなる。固定ピン１４をスライドガイド１３に嵌入させた後、スプリング１５と止め輪１６を軸部１４ｂ先端から凹部１３と嵌合する長さを残した位置まで押し込み固定する。
【００２３】
このように構成することで、固定ピン１４は常に支持体１２の方向にスプリング１５の力で付勢されており、凹部１２ａと固定ピン軸部１４ｂの位置が合った所でスプリング１５の付勢力で凹部１３１２ａと嵌合しロックされる。スライドガイド１３をＡ方向に摺動させるときは固定ピン１４を引っ張り、凹部１２ａから固定ピン軸部１４ｂを抜き、摺動させる。
【００２４】
上記構成によれば、支持体１２に対しスライドガイド１３の確実な固定ができる為、物品に対し強い挟持力が必要な場合には有効な手段となる。
【図面の簡単な説明】
【００２５】
【図１】本発明の第１実施例による挟持具の図面である。
【図２】本発明の第２実施例による挟持具の図面である。
【図３】本発明の第１実施例におけるスライドガイド固定部の別構成による挟持具の裏面図である。
【図４】図３におけるスライドガイド固定部の要部詳細図である。
【符号の説明】
【００２６】
１：支持体
２：クランプアーム
３：スライドガイド
４：クランプアーム
５：スライドガイド
６：挟持板
７：螺軸棒
８：挟持板
９：グリップ
１０：ロックアーム
１１：止めねじ
１２：支持体
１３：スライドガイド
１４：固定ピン
１５：スプリング
１６：止め輪
２２：クランプアーム
２３：スライドガイド
２４：クランプアーム
２５：スライドガイド
【図１】
2009262246.tif 000003
【図２】
2009262246.tif 000004
【図３】
2009262246.tif 000005
【図４】
2009262246.tif 000006